(57)【要約】      （修正有）【課題】相手側とのスムーズな情報交換が可能な情報交換装置を提供する。【解決手段】握手を通じた人体通信で名刺情報を携帯電話同士で交換する際、相手側の携帯電話が対応可能であることを紙名刺交換時点などにおいて予め検知して通報する。検知は無線通信機能によるか人体通信の開始時点で行う。無線通信による場合は電波の強さに基づき検知を行う。検知は人体通信部の可不可設定に係らず行う。握手が短くて情報交換が未完であれば警告する。お互いの携帯電話からの異なる和音構成音を同時出力し、ハーモニーが聞こえることでお互いが対応機種であることを知る。名刺交換の相手が複数いるときは、各ペアの優先順を調整し通報の混乱や干渉を防止する。【選択図】図１
2009153054.tif 000002
【特許請求の範囲】
【請求項１】
人体を通じて流れる情報を人体に印加するとともに人体を通じて流れる情報を検出する人体通信部と、前記人体通信部を介して情報の授受を行う情報授受部と、前記人体通信部の機能に対応可能な他の装置が存在することを検知する検知部と、前記検知部の検知結果を通報する通報部とを有することを特徴とする情報交換装置。
【請求項２】
前記情報授受部が授受する情報は名刺情報であるとともに、前記人体通信部は握手状態にある人体を通じて流れる情報を検出することを特徴とする請求項１記載の情報交換装置。
【請求項３】
携帯電話として構成されることを特徴とする請求項１または２記載の情報交換装置。
【請求項４】
前記検知部は無線通信機能部を有し、前記無線通信機能部が受信する電波に基づいて検知を行うことを特徴とする請求項１から３のいずれかに記載の情報交換装置。
【請求項５】
前記検知部は、前記無線通信機能部が受信する電波の強度に基づいて検知を行うことを特徴とする請求項４記載の情報交換装置。
【請求項６】
前記検知部は、前記無線通信機能部が受信する電波によって伝えられる情報に基づいて検知を行うことを特徴とする請求項４または５記載の情報交換装置。
【請求項７】
前記検知部は、前記人体通信部から伝達される情報に基づいて検知を行うことを特徴とする請求項１から６のいずれかに記載の情報交換装置。
【請求項８】
前記検知部によって検知された他の装置との相互関係を調整する制御部を有することを特徴とする請求項１から７のいずれかに記載の情報交換装置。
【請求項９】
前記情報授受部は前記制御部に基づいて他の装置との情報授受の順序を決定することを特徴とする請求項８記載の情報交換装置。
【請求項１０】
前記通報部は前記制御部に基づき他の装置による通報との関係を調整しつつ通報を行うことを特徴とする請求項８または９記載の情報交換装置。
【請求項１１】
前記通報部は前記制御部に基づき他の装置による通報音との間で和音を構成する通報音を他の装置による通報音に重ねて発生することを特徴とする請求項１０記載の情報交換装置。
【請求項１２】
前記検知部によって検知された他の装置が複数あるとき、これら複数の他の装置との関係を調整する制御部を有することを特徴とする請求項１から１１のいずれかに記載の情報交換装置。
【請求項１３】
前記制御部は、検出された複数の他の装置との間で可能なペアおよび各ペアの優先順を決定することを特徴とする請求項１２記載の情報交換装置。
【請求項１４】
前記人体通信部による通信の可不可を決定する操作部を有し、前記検知部は前記人体通信部による通信の可不可に係らず検知が可能であることを特徴とする請求項１から１３のいずれかに記載の情報交換装置。
【請求項１５】
前記情報授受部による情報交換の完了を通報する通報部を有することを特徴とする請求項１から１４のいずれかに記載の情報交換装置。
【請求項１６】
前記情報授受部による情報交換が未完であることを警告する通報部を有することを特徴とする請求項１から１５のいずれかに記載の情報交換装置。
【請求項１７】
近傍に存在する他の装置に関する通報音を発生する通報部と、他の装置による通報音との間で和音を構成する通報音を他の装置による通報音に重ねて発生させるよう前記通報部を制御する制御部とを有することを特徴とする情報交換装置。
【請求項１８】
通信部と、前記通信部を介して情報の授受を行う情報授受部と、前記通信部の機能に対応可能な他の装置が存在することを検知する検知部と、前記検知部の検知結果を通報する通報部と、前記検知部によって検知された他の装置が複数あるときこれら複数の他の装置との間で可能なペアおよび各ペアの優先順を決定する制御部とを有することを特徴とする情報交換装置。
【発明の詳細な説明】
【技術分野】
【０００１】
本発明は、情報交換装置に関する。
【背景技術】
【０００２】
情報交換のためには、無線通信をはじめとして種々の手法が提案されている。その一つとして、人体周りに誘起した静電磁界または誘導電磁界による人体通信が提案されている。（特許文献１）また、携帯電話や携帯ゲーム機などの外部端末間のデータ送受信に人体通信を利用し、例えば互いに握手をすると、ある人の外部端末から別の人の外部端末に人体を通してデータの送受信がなされるようにすることも紹介されている（特許文献２）  一方、紙媒体によらず電磁波により名刺交換を行なう電子名刺装置も提案されている。（特許文献３）    
【特許文献１】特開２００６−２７１７９８号公報
【特許文献２】特開２００６−８１０２５号公報
【特許文献３】特開２００７−２７２３１０号公報
【発明の開示】
【発明が解決しようとする課題】
【０００３】
しかしながら、このような情報交換のためには相手側も自分の情報交換手段に対応している必要があり、その普及のためにはまだまだ検討すべきことが残されている。
【０００４】
本発明の課題は、上記に鑑み、相手側とのスムーズな情報交換が可能な情報交換装置を提供することにある。
【課題を解決するための手段】
【０００５】
上記課題を達成するため、本発明は、人体を通じて流れる情報を人体に印加するとともに人体を通じて流れる情報を検出する人体通信部と、人体通信部を介して情報の授受を行う情報授受部と、人体通信部の機能に対応可能な他の装置が存在することを検知する検知部と、検知部の検知結果を通報する通報部とを有する情報交換装置を提供する。  このような情報交換装置は、例えば携帯電話として構成し、握手状態にある人体を通じて流れる名刺情報を携帯電話同士で交換する場合などに好適である。
【０００６】
上記本発明の構成によれば、特に相手に問わなくても通報部によって互いに相手の携帯電話が人体通信に対応していることがわかるので、自然な自己紹介の中で相手と握手をすればスムーズに情報交換を行うことができる。換言すれば、相手が人体通信に対応した携帯電話を所有しているかどうかわからないときでも、まずは、紙の名刺交換を行い、次に握手をすればいずれの場合でも自然な自己紹介が完了する。
【０００７】
本発明の具体的な特徴によれば、検知部は無線通信機能部を有し、この無線通信機能部が受信する電波に基づいて検知を行う。より具体体には、検知部は無線通信機能部が受信する電波の強度に基づいて検知を行う。これによって、相手が近づいたときに相手の携帯電話が人体通信に対応していることがお互いにわかる。  また、他のより具体的な特徴によれば、検知部は、無線通信機能部が受信する電波によって伝えられる情報に基づいて検知を行う。これによって例えば対応機種であることを示すコードなどをお互いに交換できこれによって検知が可能となる。
【０００８】
本発明の他の具体的な特徴によれば、検知部は、人体通信部から伝達される情報に基づいて検知を行う。このように、例えば握手をした際に、対応機種であることを示すコードなどが伝えられるかどうかで対応機種であるかどうかを検知することも可能である。
【０００９】
本発明の他の具体的な特徴によれば、検知部によって検知された他の装置との相互関係を調整する制御部が設けられる。より具体的には、情報授受部はこの制御部に基づいて他の装置との情報授受の順序を決定することができる。これによって、情報交換がスムーズに行われる。  また、他のより具体的な特徴によれば、通報部は上記の制御部に基づき他の装置による通報との関係を調整しつつ通報を行う。これによって、たとえば音による通報を行う場合に他の通報部が行う通報との関係が混乱して通報が識別できない事態を避けることができる。
【００１０】
本発明の他の具体的な特徴によれば、人体通信部による通信の可不可を決定する操作部を有し、検知部は人体通信部による通信の可不可に係らず検知が可能なよう構成される。これによって、情報交換装置の操作状態によって検知ができないような事態を避けることができる。
【００１１】
本発明の他の具体的な特徴によれば、情報授受部による情報交換の完了を通報する通報部が設けられる。これによって、人体通信により確実に情報交換がおこなわれたことが確認できる。  また、他の具体的な特徴によれば、情報授受部による情報交換が未完であることを警告する通報部が設けられる。これによって、握手等の時間が短かったことで情報交換が未完に終わったことがわかり、再度握手等をして情報交換を行うことができる。
【００１２】
本発明の他の特徴によれば、近傍に存在する他の装置に関する通報音を発生する通報部と、他の装置による通報音との間で和音を構成する通報音を他の装置による通報音に重ねて発生させるよう通報部を制御する制御部とを有することを特徴とする情報交換装置が提供される。  これによって、他の装置による通報音が同時に出力されても混乱が生じることなく、両者から通報音が発生していることが明瞭にわかる。そして、一方からしか通報音が発生していない場合との区別も明瞭にできる。
【００１３】
本発明の他の特徴によれば、通信部を介して情報の授受を行う情報授受部と、通信部の機能に対応可能な他の装置が存在することを検知する検知部と、検知結果を通報する通報部と、検知された他の装置が複数あるときこれら複数の他の装置との間で可能なペアおよび各ペアの優先順を決定する制御部とを有することを特徴とする情報交換装置が提供される。  これによって、複数のペアが並行して情報交換を行おうとしている場合においても、混乱や干渉なしに通報を行うことができる。
【発明を実施するための最良の形態】
【００１４】
図１は、本発明の実施の形態に係る情報交換装置の実施例を示すブロック図である。本実施例は第１携帯電話１および第２携帯電話１０１からなる一対の携帯電話を含むシステムを構成している。第２携帯電話２内部の構成は基本的には第１携帯電話１と同一であり、対応する構成には下二桁が同じ番号を付与し、必要のない限り、第２携帯電話１０１の詳細の説明は省略する。
【００１５】
第１携帯電話１は、携帯電話全体を制御するコンピュータからなる第１携帯制御部６を有し、電話操作部８の操作に応じて、第１電話機能部１０などを制御する。第１電話機能部１０は通常の電話機能に関する部分であり、音声の処理部や送話器、受話器を含む。  第１携帯制御部６の機能は記憶部１２に格納されたソフトウエアによって実行される。記憶部１２は、また第１携帯電話１全体の制御に必要な種々のデータを一時的に格納するとともに、住所録データなど携帯電話に蓄積保持すべき情報の記憶装置にもなっている。第１携帯制御部６は、さらに表示部１４を制御し、電話操作部８の操作と連携するＧＵＩ表示を行うとともに制御結果の表示を行う。第１携帯制御部６は、発音部２２の制御も行っている。この発音部２２は音声出力部である受話器とは別に設けられており、表示部１４とも連動して第１携帯電話の種々の機能に関する通知音や警告音を発生するとともにテレビ電話モードなどにおけるスピーカーの役目も果たす。
【００１６】
ＧＰＳ部１６は、ＧＰＳシステムに基づいて衛星または最寄の放送局より第１携帯電話１の絶対位置情報である緯度、経度、および高度の情報を得て第１携帯制御部６に送る。この絶対位置情報は、第１携帯制御部６の制御により地図とともに表示部１４に表示され、ナビゲーション情報として提供される。
【００１７】
第１携帯電話１は、第１電話機能部１０および第１電話通信部１８により通常の通話を含む電話回線を介した無線通信を行うことができる。第１携帯電話１には、これと別に無線ＬＡＮ、Ｂｌｕｅｔｏｏｔｈ（商標）、微弱電波などによる第１携帯近距離通信部２０が備えられており、近距離通信圏内に存在する他の携帯電話等との無線通信が可能となっている。  この第１携帯近距離通信部２０は法規制上問題のない規格に基づくものであって、通信圏は限られるが電話回線などのように料金が発生しないものである。
【００１８】
第１携帯近距離通信部２０は、後述する名刺情報などの交信の他、上記のＧＰＳ部１６において取得した絶対位置情報を他の機器のＧＰＳ部に送信すると共に、他の機器がそのＧＰＳ部で取得した絶対位置情報を受信することができる。これにより、表示部１４において自分の位置だけでなく他の機器の位置についても同一の地図上で表示することが可能となり、両者の相対関係を地図上で確認できる。その詳細については、同一出願人による特許願２００７−２８３９３などに記載されている。  また、第１携帯電話１は、不図示のカメラ部を有し、撮影した画像を記憶部１２に記憶することが可能であるとともに、第１電話通信部１８によって画像を他の携帯電話に送信することができる。なお、第１携帯電話１は、充電式の主電源２４によって給電されていると共に、記憶部１２はさらにリチウム電池などからなる補助電源２６によりバックアップされている。これによって、主電源２４の放電や交換の際に記憶部１２に記憶されている情報が揮発するのを防ぐ。
【００１９】
第１携帯電話１はさらに、復調／変調部２８、およびこれと協働する送受信電極３０を有している。これらは、例えば特開２００６−２７１７９８等に開示されている人体通信システムを構成するもので、記憶部１２に記憶されている第１携帯電話１の保有者の名刺情報などが第１携帯制御部６から出力されると、これが復調／変調部２８で送信信号に変調され、この送信信号が容量結合３０を介して送受信電極３２から第１携帯電話１を持つ人体３４に印加される。図１では、人体３４として握手状態にある右手部分のみを代表的に図示しているが、実際には図示されていない人体３４の左手によって第１携帯電話１が持たれているので、容量結合３０は送受信電極３２と図示されない左手との間で生じている。
【００２０】
上記のようにして人体３４に送信信号が印加されると、送信信号に応じた強さの静電磁界または誘導電磁界が人体３４周りに誘起される。従って、人体３４の右手が図１のように人体１３４の右手と握手状態になると、人体３４周りの静電磁界または誘導電磁界が人体１３４に伝達される。このとき、人体１３４の図示されない左手が第２携帯電話１０１を持っていた場合、この左手と送受信電極１３２との間の容量結合１３０により送信信号が検出され、これが変調／復調部１２８で復調されることにより第２携帯制御部１０６は送信された名刺情報などを受取ってこれを記憶部１１２に記憶させる。  以上によって、人体３４と人体１３４の握手によって記憶部１２の名刺情報などが記憶部１１２に伝達される。同様にして、記憶部１１２に記憶部１１２の名刺情報などが記憶部１２に伝達され、握手による電子的な名刺情報の交換が成立する。このようにして人体通信により名刺情報の電子的な交換が可能となる。交換された名刺情報は、お互いに、表示部１４または表示部１１４に表示することにより随時確認できるとともに、これらを電子データとして適宜処理することができる。
【００２１】
図１における第１携帯電話１と第２携帯電話１０１は通信回線の基地局を介したインフラストラクチャー通信によって、第１電話通信部１８と第２電話通信部１１８との間で通信可能である。  一方、第１携帯電話１と第２携帯電話２とは、第１携帯近距離通信部２０と第２携帯近距離通信部１２０によって直接のアドホック通信が可能である。
【００２２】
図２は、図１の実施例における第１携帯制御部６の機能の基本フローチャートであり、第１携帯電話１の電源オン操作によってスタートする。フローがスタートすると、まずステップＳ２で携帯電話機能の初期立上げおよび各機能のチェックが行われる。  次いでステップＳ４で表示がオン状態かどうかのチェックが行われる。そして表示がオンならす８に進む。一方、表示がオンでなければステップＳ６で表示をオンにする操作の有無がチェックされ、表示オン操作が検出されればステップＳ８に移行する。通常、携帯電話は電源をオンすると表示がオン状態で立ち上がるので、ステップＳ４から直接ステップＳ８に進む。なお、後述のように携帯電話がオンである限り適宜ステップＳ４のチェックが行われる。そして、例えば折畳式携帯電話において携帯電話が折り畳まれて表示がオフの待ち受け状態となっている場合、または所定時間操作がなかったことを検出して働くオートオフ機能により表示がオフとなっていた場合は、ステップＳ４からステップＳ６に進むことになり、このとき携帯電話が開かれるか、何らかの操作が行われて表示がオンになったことが検出されればステップＳ６からステップＳ８に進む。                
【００２３】
ステップＳ８では、操作メニューの中から名刺交換モードが選択されたかどうかがチェックされる。そして選択があればステップＳ１０の名刺交換モード処理に入り、これが終了するとステップＳ１２に進む。ステップＳ１０の名刺交換モード処理の詳細は後述する。一方、ステップＳ８で名刺交換モードの選択が検出されないときは直接ステップＳ１２に移行する。  ステップＳ１２では、操作メニューの中から名刺表示モードが選択されたかどうかがチェックされる。そして選択があればステップＳ１４の名刺交換モード処理に入り、これが終了するとステップＳ１６に進む。ステップＳ１４の名刺表示モード処理の詳細は後述する。一方、ステップＳ１２で名刺表示モードの選択が検出されないときは直接ステップＳ１６に移行する。
【００２４】
ステップＳ１６では、操作メニューの中からスキンシップモードが選択されたかどうかがチェックされる。そして選択があればステップＳ１８のスキンシップモード処理に入り、これが終了するとステップＳ２０に進む。ステップＳ１８のスキンシップモード処理は、互いに手を繋いだり寄り添ったりするスキンシップ状態において人体通信によりメール情報を交換したり、楽曲の再生情報を共有したりすることができるモードである。一方、ステップＳ１６でスキンシップモードの選択が検出されないときは直接ステップＳ２０に移行する。  ステップＳ２０では、人体通信に対応している他の携帯電話の存在が第１携帯近距離通信部２０の通信により検出できるかどうかがチェックされる。そして検出があればステップＳ２２の対応機種検出処理に入り、これが終了するとステップＳ２４に進む。ステップＳ２２の対応機種検出処理の詳細は後述する。一方、ステップＳ２０で携帯電話が検出されないときは直接ステップＳ２４に移行する。
【００２５】
ステップＳ２４では、表示をオフする機能が発動したかどうかがチェックされる。そしてこの機能の発動がない場合、フローはステップＳ４に戻り、以下、表示がオンである限りはステップＳ４からステップＳ２４を繰り返す。一方、ステップＳ２４で表示をオフする機能の発動が検知されたときはステップＳ２６に移行する。これは、前述のように、例えば携帯電話を折り畳む操作によって手動で表示がオフされた場合、または所定時間操作がなかったことによってオートオフ機能が働いて表示が自動的にオフとなった場合が該当する。  ステップＳ２６では、電源オフ操作が行われたかチェックされる。そして電源オフ操作が検出されない場合、フローはステップＳ４に戻り、以下、電源がオンである限りはステップＳ４からステップＳ２６を繰り返す。一方、ステップＳ２６で電源オフ操作が検知されたときは直ちにフローを終了する。
【００２６】
なお、ステップＳ６で表示をオンする操作が検出されなかったときは、直接ステップＳ２０に移行する。このように、表示がオンでない限り、名刺交換モードやスキンシップモードが選択できないようになっており、未知の人物に触られたり、また不用意に物に触ったりすることにより情報が第１携帯電話の情報が漏れたりスキミングされたりすることを防止している。  さらに、名刺交換モードやスキンシップモードは意図的に選択されない限りその機能が働かないようになっており、上記の表示オンの条件に加えて人体通信による不測の情報漏洩がないよう二重のセキュリティ対策が講じられている。
【００２７】
図３は、図２のステップＳ２２における対応機種検出処理の詳細を示すフローチャートである。図２のステップＳ２０により携帯電話が近くにあることが検出されると図３の対応機種検出処理がスタートする。これは例えば、来客を応接室に通したとき、来客の保持する第２携帯電話が人体通信に対応している機種であることが自身の保持する第１携帯近距離通信部２０の通信により検出できた場合に該当する。なお、図３のフローは来客が複数の場合にも対応できるよう構成されている。  フローがスタートすると、まずステップＳ３２において、検出した人体通信に対応可能な携帯電話の全機についてそのそれぞれを特定するための情報を受信する。この特定用情報としては、例えば各携帯電話に割当てられたシリアル番号または電話番号が用いられる。なお人体通信に対応しているかどうかは、対応機種であることを示すコードをお互いに交換することによって可能である。  
【００２８】
次いでステップＳ３４で人体通信に対応可能な携帯電話が複数検出されたかどうかがチェックされる。そして複数の携帯電話が検出された場合はステップＳ３６に進み、例えば、来客サイドの会社と応対サイドの会社の各メンバーについての可能な全ての組合せがペアリングされる。この際、同一サイド、例えば自分の会社のメンバー同士の組合せは意味がないので除外される。  具体例で示すと、Ａ社（メンバーＡ１、Ａ２）がＢ社（メンバーＢ１、Ｂ２、Ｂ３）と対応する場合、ステップＳ３６のペアリングにおいて求められる全組合せは、ペア１（Ａ１とＢ１）、ペア２（Ａ１とＢ２）、ペア３（Ａ１とＢ３）、ペア４（Ａ２とＢ１）、ペア５（Ａ２とＢ２）およびペア６（Ａ２とＢ３）となる。
【００２９】
さらに、ステップＳ３８では、各ペアの優先順が決定される。例えば、上記においてペア１、ペア２、ペア３、ペア４、ペア５、ペア６の順に優先順を決定する。これに続き、ステップＳ４０では、各ペア内の優先順を決定する。例えばペア１において優先順をＡ１、Ｂ１の順とする。これらの優先順は、例えばシリアル番号を用いて自動的に決定される。すなわち、ペア内の優先順はシリアル番号順とし、
ペア間では、各ペア内の若い方のシリアル番号を他のペアのそれと比較して優先順を決定する。これらの優先順は便宜的なものであり、後述するように複数の携帯電話の機能を整理することを目的とする。  なお、ステップＳ３４において人体通信に対応可能な携帯電話が一つしか検出されなかった場合は、ステップＳ３６およびステップＳ３８を省略し、直接ステップＳ４０を実行する。
【００３０】
以上のペアリングと優先順決定がなされるとステップＳ４２に進み、いずれかのペアの相手が自分の携帯電話の至近距離内に接近したかどうかをチェックする。これは、名刺交換のために誰かと対面した場合に該当し、相手は一人である。具体的には、名刺交換のために対面できる者と他の者との距離の差から最近接の者のみを検出し、さらにその者が所定距離以内に接近したことを検出する。この機能は、第１携帯近距離通信部２０によって相手からの電波の強さを検出することにより達成される。このようにして、至近距離内に接近した携帯電話が検出されるまでステップＳ４２が繰り返され、検出を待つ。  ステップＳ４２で自分を含むいずれかのペアの相手が自分の携帯電話の至近距離内に接近したことが検出されるとステップＳ４４に進み、第１携帯近距離通信部２０の通信によって他のペアが発音中かどうかチェックする。この発音とは至近距離に入ったペアの携帯電話が人体通信に対応していることが確認されたときに両方の携帯電話から発生される所定周波数の音信号の発生を意味するが、その詳細は後述する。
【００３１】
ステップＳ４４で他のペアが発音中でなければ、自分のペアの携帯電話が人体通信に対応していることを示す発音を行っても、これが他ペアの発音に重なって妨害音となったり自ペアの発音が聞き取れなかったりする心配がないのでステップＳ４６に進む。ステップＳ４４のチェックを行った上でステップＳ４６に進むのは、名刺交換が複数ペアの間で同時並行して行われる可能性があり、もし仮にペア間の調整なしに随所で同時に発音が行われると互いに識別不可能となるので、このような事態を避ける意味がある。  ステップＳ４６では、音出力を行うためのエントリー信号を第１携帯近距離通信部２０から周囲の携帯電話に予備的に発信する。次いで、ステップＳ４８で所定の調整時間（例えば０．１秒）内に他のペアからのエントリー信号を受信していないかどうかチェックする。これは、発音が複数ペアから同時に行われることながいようにするためのもので、所定の調整時間内に複数の携帯電話からエントリー信号が発信されたときに発音順を互いに調整し、いきなり複数のペアから同時に発音が重なって行われないようにする。
【００３２】
ステップＳ４８で他のペアからのエントリーがあったことが検出されたときはステップＳ５０に進み、複数のエントリーの中で自分のペアの順位が最優先となっているかどうかチェックする。そして、最優先であればステップＳ５２に進む。一方、ステップＳ４８において他のペアからのエントリーが調整時間内に検出されないときは直ちにステップＳ５２に進む。ステップＳ５２では発音等が実行されるが、その詳細は後述する。  なお、ステップＳ４４において、発音中の他のペアがあれば当面発音は見合わせ、ステップＳ４２に戻る。また、ステップＳ５０において自分のペアの順位が最優先でないときも、次の発音は他のペアに譲り、ステップＳ４２に戻る。このようにして、ペア相手が至近距離に接近していて他のペアの発音がなく、かつ調整時間内に他のペアのエントリーがないか又はあっても自分のペアが最優先であるという条件がすべて満たされない限り、ステップＳ４２からステップＳ５０が繰り返される。
【００３３】
次にステップＳ５２について詳細に説明する。ステップＳ５２では、まず、接近したペアが握手によって情報交換可能な状態となるよう互いに登録される。また、ペア内の優先順位に基づいて和音構成音が発音部２２から出力される。例えば「ド」と「ミ」を構成音とする和音を発音する場合、ペアにおける自分の優先順が高ければ「ド」を発音する。一方、ペアの相手は同時に「ミ」を発音するので、「ド」と「ミ」のハーモニーが聞こえることになる。これによってペアの両者の携帯電話が同時に発音しても、両者が発音していることが明瞭に識別できる。一方しか発音しなければ単音しか聞こえないからである。  なお、ステップＳ５２における和音はペアごとに異なったものとされ、例えば別のペアでは例えば「レ」と「ファ」を構成音とする和音となる。また、ステップＳ４４からステップＳ５０の機能により自分のペアが発音しているときは他のペアからの発音が禁止されているので、自分のペアのハーモニーに他の音が混じることはない。  ステップＳ５２では、あわせて自分のペアが発音中であることを示す情報を周囲の携帯電話に発信し、これらの携帯電話においてステップＳ４４の機能が働くようにする。
【００３４】
ステップＳ５２で発音および情報発信が開始されるとこれを継続したままフローはステップＳ５４に進み、発音開始から所定時間（例えば５秒）経過したかどうかチェックする。そして未経過ならステップＳ５２に戻って発音と情報発信を継続し、経過刷ればステップＳ５６に進んで和音構成音の出力を停止するとともに発音中との情報発信を停止する。  ついで、ステップＳ５８に進み、ステップＳ２０で他の携帯電話が検出されてから所定時間が経過したかどうかをチェックする。未経過ならばステップＳ６０に進み、決定されたペアのうち未だ相手が接近していないものがあるかどうかチェックする。そして未接近ペアがなければフローを終了する。なお、ステップＳ５８で所定時間が経過したことが検出されると未接近ペアの有無にかかわらず、フローを終了する。一方、ステップＳ６０で未接近ペアがあればステップＳ４２に戻り、その接近を待つ。
【００３５】
図３のフローにおいて、ステップＳ３２からステップＳ４０は、互いに特定用情報を受信しあっている全ての携帯電話においてそれぞれ必要に応じ他の携帯電話と同期をとりながら同時進行的に実行される。一方、ステップＳ４２からステップＳ６０は至近距離内に接近したペアの携帯電話間において、それぞれ必要に応じ同期をとりながら同時進行的に実行される。
【００３６】
図４は、図２のステップＳ１０における名刺交換モード処理の詳細を示すフローチャートである。図２のステップＳ８において名刺交換モードが手動で選択されたことが検出されると図４の名刺交換モード処理がスタートする。  ここで、図２のステップＳ８において検出される名刺交換モードの選択がどのような状況で行われるかについて説明する。名刺の交換はまず紙名刺によって行われるが、名刺交換のために両者が接近したとき、図３のステップＳ５２の機能により和音が聞こえる。これによって両者の携帯電話が人体通信に対応していることおよび両者が情報交換のために互いに登録されたことがわかるので、両者は自分の携帯電話を取り出してそれぞれ名刺交換モードに手動設定し、握手による電子名刺交換に備えることができる。または、人体通信機能を備えた携帯電話が普及すれば、図３のステップＳ４２以降の機能を待たず、相手側との面談に臨む前に名刺交換モードへの設定を行う。  いずれにしても、名刺交換モードへの設定と互いの登録の両者が揃わないと握手をしても名刺情報は交換されず、不用意に名刺情報が漏洩しないようセキュリティーが保たれる。
【００３７】
図４の処理がスタートすると、まずステップＳ７２で握手が行われたかどうかがチェックされる。握手が検出されるとステップＳ７４に進み、握手した相手が、図３のステップＳ５２によって登録された者かどうかのチェックがなされる。そして、該当する相手であればステップＳ７６の名刺情報交換処理に移行する。その詳細は後述する。  ステップＳ７６の名刺情報交換処理が終了するとステップＳ７８に進み、現在表示中の名刺情報があるかどうかチェックする。例えば二番目以降の相手と握手した場合は、先の相手との握手によって取得した名刺情報が表示部１４に表示されているので表示中の名刺情報があることになる。
【００３８】
ステップＳ７８で表示中の名刺情報がある場合にはステップＳ８０に進み、この表示を終了させてステップＳ８２に進む。一方、ステップＳ７８で表示中の名刺情報がある旨の検出がなければ、自分にとって一番目の相手との握手が行われたことを意味するので、直接ステップＳ８２に進む。  ステップＳ８２では、ステップＳ７６で受信された新規の名刺情報を表示する。これによって、自分の携帯電話の表示部を見れば、紙の名刺をもらった場合と同様にして相手の肩書きや氏名などを文字情報として確認できる。次いで名刺情報の表示を継続しつつステップＳ８４に進み、名刺交換モード選択後の名刺情報受信順を自分の携帯電話に記憶させる。これは後述する名刺レイアウト整理の際の参考とするためである。  
【００３９】
次いでステップＳ８８で受信した情報が携帯電話に保存されている既存名刺のＩＤと一致するかどうかチェックする。このＩＤとしてはステップＳ３２で受信した携帯電話のシリアル番号や電話番号などをそのまま流用する。  ステップＳ８８で受信情報のＩＤが既存名刺ＩＤと一致していることが検出されればステップＳ９０に進み、今度は名刺情報の中身を既存情報と比較して命情報に変更があるかどうかチェックする。通常、同じ人物から再度名刺をもらう場合は会社、肩書きなどに変更があることが考えられるからである。
【００４０】
ステップＳ９０で名刺情報に変更があればステップＳ９２に進み、変更情報をその人物のＩＤファイルに追加保存してステップＳ９４に移行する。これによって、その人物の履歴が記録されていくことになる。一方、ステップＳ９０で名刺情報の変更が検出されない場合は直接ステップＳ９４に移行する。  また、ステップＳ８８で既存名刺ＩＤとの一致が検出されなかったときは初対面の人物なのでステップＳ９６に移行し、新規ＩＤファイルを作成する。次いで、ステップＳ９８でそのＩＤファイルに新規名刺情報を保存してステップＳ９４に移行する。
【００４１】
ステップＳ９４では、名刺情報の受信日時をＩＤファイル履歴に保存する。これによって、新規名刺情報や既存名刺の変更情報を受信した場合だけでなく、名刺情報に変更がない場合においても同じ相手との面会日時がその人物のＩＤファイル履歴に保存されていく。このように、握手による情報交換は名刺情報の取得だけでなく、同じ相手との面会履歴の蓄積にも有用である。  次いでステップＳ１００で名刺交換モード終了操作の有無をチェックし、操作がなければステップＳ１０２に進んで名刺情報を交換していないペアの有無をチェックする。そして未交換ペアがなければその場の全ての相手との名刺情報交換が終わったことを意味するので自動的にフローを終了する。一方、未交換ペアがあればステップＳ７２に戻り、以下、未交換ペアがなくなるまでステップＳ７２からステップＳ１０２を繰り返す。但し、ステップＳ１００で名刺交換モード終了の手動操作が検出されたときは、未交換ペアの有無にかかわらず直ちにフローを終了する。
【００４２】
図５は、図４のステップＳ７６における名刺情報交換処理の詳細を示すフローチャートである。フローがスタートするとステップＳ１１２で握手しているペア内において自分の携帯電話の順が優先されるかどうかがチェックされる。そして優先でなければステップＳ１１４に進み、名刺情報の送信を開始する。この場合、逆に相手は優先であり、名刺情報の受信に入る。  次いでステップＳ１１６で握手が継続されているかどうかチェックし、継続されていればステップＳ１１８で送信が完了したかどうかチェックする。そして完了でなければステップＳ１１６に戻り、握手が継続している限りステップＳ１１６およびステップＳ１１８を繰り返して送信完了を待つ。
【００４３】
ステップＳ１１８で送信完了が確認されるとステップＳ１２０に進み、受信済かどうかチェックする。ステップＳ１１８からステップＳ１２０に移行した場合は通常受信済でないのでステップＳ１２２に進み、受信を開始する。  次いでステップＳ１２４で握手が継続されているか
どうかチェックし、継続されていればステップＳ１２６で送信が完了したかどうかチェックする。そして完了でなければステップＳ１２４に戻り、握手が継続している限りステップＳ１２４およびステップＳ１２６を繰り返して受信を待つ。
【００４４】
ステップＳ１２６で受信完了が確認されるとステップＳ１２８に進み、受信した名刺情報を一時記憶する。これは後の表示に対応するとともに、必要に応じ記憶部１２に保存するためである。この一時記憶は少なくとも名刺情報交換直後に開始された名刺表示モード処理における表示が不要となるまで維持される。  一時記憶が完了するとステップＳ１３０に進み、送信済かどうかチェックする。ステップＳ１２８からステップＳ１３０に移行した場合は通常送信済なのでフローを終了する。
【００４５】
これに対し、ステップＳ１１２で握手しているペア内において自分の携帯電話の順が優先であった場合はステップＳ１２０に移行する。ステップＳ１１２からステップＳ１２０に移行した段階では受信済でないのでＳ１２２に進み、受信を開始する。  次いでステップＳ１２４で握手が継続されているかどうかチェックし、継続されていればステップＳ１２６で送信が完了したかどうかチェックする。そして完了でなければステップＳ１２４に戻り、握手が継続している限りステップＳ１２４およびステップＳ１２６を繰り返して受信を待つ。
【００４６】
ステップＳ１２６で受信完了が確認されるとステップＳ１２８に進み、受信した名刺情報を一時記憶する。そして、一時記憶が完了するとステップＳ１３０に進み、送信済かどうかチェックする。ステップＳ１１２からステップＳ１２０に移行した結果ステップＳ１３０に至った場合は通常送信済ではないのでフローはステップＳ１１４に移行し、名刺情報の送信を開始する。  次いでステップＳ１１６で握手が継続されているかどうかチェックし、継続されていればステップＳ１１８で送信が完了したかどうかチェックする。そして完了でなければステップＳ１１６に戻り、握手が継続している限りステップＳ１１６およびステップＳ１１８を繰り返して送信完了を待つ。
【００４７】
ステップＳ１１８で送信完了が確認されるとステップＳ１２０に進み、受信済かどうかチェックする。この場合は通常受信済みなのでステップＳ１３０に進み、送信済みかどうかチェックする。この場合も通常は送信済なのでフローを終了する。  ステップＳ１３２からステップＳ１３８は、名刺情報の送信途上または受信途上において握手を中断した場合の処置に関するものである。
【００４８】
まず、ステップＳ１１６で握手がもはや継続されていないことが検出されたときはステップＳ１３２に進み、名刺交換が未完である旨の警告表示を表示部１４で行う。このとき発音部２２からもその旨の警告音出力またはアナウンスを行ってもよい。  そしてステップＳ１３４に進み、ステップＳ１３２の警告に応じて握手が再開されたかどうかチェックする。そして握手が検出されない限りステップＳ１３２とステップＳ１３４を繰返し、握手の再開を待つ。ステップＳ１３４で握手が検出されればステップＳ１１４に戻り、再送信を開始する。
【００４９】
一方、ステップＳ１２４で握手がもはや継続されていないことが検出されたときはステップＳ１３６に進み、名刺交換が未完である旨の警告表示を表示部１４（および必要に応じ発音部２２）にて行う。  そしてステップＳ１３８に進み、ステップＳ１３６の警告に応じて握手が再開されたかどうかチェックする。そして握手が検出されない限りステップＳ１３６とステップＳ１３８を繰返し、握手の再開を待つ。ステップＳ１３８で握手が検出されればステップＳ１２２に戻り、再受信を開始する。
【００５０】
図６は、図２のステップＳ１４における名刺表示モード処理の詳細を示すフローチャートである。図２のステップＳ１２において名刺表示モードが手動で選択されたことが検出されると図６の名刺表示モード処理がスタートする。  まず、ステップＳ１４２においてメニューの選択により会議表示モードに設定されているかどうかチェックされる。会議表示モードとは、交換した紙の名刺を相手の着席位置に対応して机上に並べるのを模し、受信した肩書きおよび氏名を相手の着席位置に対応して表示部１４にレイアウトするモードである。
【００５１】
ステップＳ１４２において会議表示モードの設定が検出されるとステップＳ１４４に進み、最新の名刺交換モード期間内において交換した名刺情報を記憶部１２から読出す。具体的には図２のステップＳ８における名刺交換モード選択操作および図４の名刺交換モード終了の操作のそれぞれ最新のものの操作時刻を検出し、その間に受信した全名刺情報を読み出す。これは、一つの会議冒頭において名刺交換を終わって着席している相手側全メンバーの名刺情報に対応する。  紙の名刺の場合、既知の人物同士では名刺交換を行わない場合が多いので、その人物の名刺を机上に並べることはできないが、本実施例の場合、握手をしていれば既知の人物であっても改めて名刺情報が自動交換され、これが携帯電話に一時記憶されるので、会議の都度、相手側全員の名刺情報を表示部１４に表示することができ、人の記憶力の補助となる。
【００５２】
次いで、ステップＳ１４６に進み、表示オートオフ機能を禁止する。これは、会議表示モードにおいては長時間携帯電話の操作をしないまま表示部１４に相手の名刺情報一覧を表示することが予想されるところ、所定時間操作がないと自動的に表示をオフする機能が勝手に働いて、会議途中で自動的に名刺情報一覧表示がオフとなってしまうのを防止するためである。
【００５３】
次にステップＳ１４８において、相手側が着席した配置が第１携帯近距離通信部２０の情報に基づいて自動検知かのうかどうかがチェックされる。これは、複数の携帯電話間の電波強度情報を交換することによる三角測距による。  ステップＳ１４８で席は位置が自動検出可能な場合はステップＳ１５０に進み、受信した名刺情報から相手側出席者の肩書きおよび氏名を検出した着席配置に対応して自動レイアウトし、表示部１４に一覧表示してステップＳ１５２に移行する。
【００５４】
一方、ステップＳ１４８において、席は位置の自動検出が不可能と判断されたときはステップＳ１５４に移行して、受信した名刺情報から相手側出席者の肩書きおよび氏名を受信順情報付きで表示部１４に一覧表示する。この受信順情報は、図４のステップＳ８４を通じて記憶されたものである。  そして、ステップＳ１５６に進み、受信順情報と記憶力に基づく顔の特徴などにより手動で席順のレイアウト変更操作があったかどうかチェックする。これは、紙の名刺を受取った場合これを机上に並べることに該当する。ステップＳ１５６で手動レイアウト変更操作が検出されるとステップＳ１５８に進み、変更後のレイアウトに従って相手側出席者の肩書きおよび氏名を表示部１４に一覧表示してステップＳ１５２に移行する。一方、ステップＳ１５６で手動操作が検出されなければ直接ステップＳ１５２に移行する。
【００５５】
ステップＳ１５２では、表示部１４の一覧表示の中から特定の個人を選択する操作があったかどうかをチェックする。そしてこの操作があればステップＳ１６０に進み、被選択者に関する全ての名刺履歴情報を所定時間表示部１４に拡大表示する。そして所定時間が経過すれば自動的に拡大表示を終了して一覧表示に戻るとともに、ステップＳ１６２に進む。なお、ステップＳ１６０からステップＳ１６２への移行は、このような所定時間経過による自動移行の他、手動操作による移行としてもよい。  一方、ステップＳ１５２で個人選択操作が検出されない場合は、直接ステップＳ１６２に移行する。
【００５６】
ステップＳ１６２では、会議表示モードを終了する操作があったかどうかを検出しており、検出がなければステップＳ１５２に戻る。以下、会議表示モード終了操作が検出されない限りステップＳ１５２、ステップＳ１６０およびステップＳ１６２が繰り返され、名刺情報の一覧表示が継続されるとともに、随時そのうちの特定個人の詳細履歴を確認することができる。  一方、ステップＳ１６２で会議表示モード終了操作が検出されたときはステップＳ１６４に進み、図５のステップＳ１２８で行われた受信名刺情報の一時記憶を消去してステップＳ１６６に至る。  また、ステップＳ１４２で会議表示モードの設定が検出されなかったときは、直接ステップＳ１６６に至る。
【００５７】
ステップＳ１６６では、通常表示モードが設定されたかどうかのチェックが行われ、設定が検出されたときはステップＳ１６８に進んで名刺情報の検索表示処理に入る。このステップＳ１６８では、記憶部１２に保存された名刺情報のデータベースを元に、第１携帯制御部６の制御下にある電話操作部８および表示部１４のＧＵＩによっては、検索条件の設定及び検索の実行が可能である。また、検索結果は、表示部１４に表示される。  ステップＳ１６８中における終了手順に従って名刺情報検索表示処理が終了すると名刺表示モードのフローは終了する。また、ステップＳ１６６において通常表示モードの設定が検出されないときは直ちにフローが終了する。
【００５８】
上記の実施例は携帯電話としたが、本発明の実施にこれに限られるものではない。例えば、上記に説明した名刺情報交換に関する諸機能を、携帯電話に換えて携帯情報端末（ＰＤＡ）や携帯音楽プレーヤーなどの他の携帯機器に組み込んでもよい。また、上記名刺情報交換に関する諸機能を腕時計に組み込むことも可能である。さらに、紙の名刺を入れるための名刺入れに上記名刺情報交換に関する諸機能を組み込むことも可能である。  なお、上記名刺情報交換に関する諸機能は一つの機器に組み込む場合だけでなく、複数の機器に分けて組み込むことも可能である。例えば、図１の変調/復調部２８、送受信電極３２、これらを制御するために必要最小限の構成および微弱電波通信機能とともに腕時計に組込み、他の機能をこのような腕時計と微弱電波通信機能を通じて通信可能なパソコンやカバンなどの必ずしも人体に近接せずに携帯される装置や用具に分け持たせるよう構成してもよい。さらに、上記のような腕時計と微弱電波通信により通信可能な機能は、必ずしも携帯機器に分け持たせる場合に限らず、会議室の設備として固定的に設けてもよい。
【００５９】
また、上記の実施例では、図２のステップＳ２２における対応機種検出処理の詳細として図３に第１携帯近距離通信部２０を利用した機能を示したが、本発明の実施はこれに限られるものではない。例えば、握手をした時点で人体通信により通信を試み、対応機種であることを示すコードなどの応答があれば相手機種が対応可能と判断するように構成することも可能である。この場合、一回の握手で、相手が応答可能であるかどうかの検知とこれに引続く名刺情報の交換まで一気に行うことも可能である。  また、上記に換えて、一回目の握手ではまず相手が対応可能かどうかの確認のみが人体通信で行われるよう構成することも可能である。この場合は、一回目の握手で相手が対応可能であることを確認した上で、図２の名刺交換モードの選択を行い、あとは二回目の握手をして図４と同様の名刺情報交換を行う。
【図面の簡単な説明】
【００６０】
【図１】本発明の実施の形態に係る情報交換システムの実施例を示すブロック図である。
【図２】図１の実施例における携帯制御部の機能の基本フローチャートである。
【図３】図２のステップＳ２２の詳細を示すフローチャートである。
【図４】図２のステップＳ１０の詳細を示すフローチャートである。
【図５】図４のステップＳ７６の詳細を示すフローチャートである。
【図６】図２のステップＳ１４の詳細を示すフローチャートである。
【符号の説明】
【００６１】
２８、３２、１２８、１３２  人体通信部  ６、１２、１０６、１１２  情報授受部  ６、２０、２８、３２、１０６、１２０、１２８、１３２、  検知部  １４、２２、１１４、１２２  通報部  ６、１０６  制御部  ８、１４、１０８、１１４  操作部
【図１】
2009153054.tif 000003
【図２】
2009153054.tif 000004
【図３】
2009153054.tif 000005
【図４】
2009153054.tif 000006
【図５】
2009153054.tif 000007
【図６】
2009153054.tif 000008